(57)【特許請求の範囲】
【請求項１】
指示又は設定されたタイミングで、映像の生成と表示制御内容とを指示する映像制御信号及びコンテンツの生成を指示するコンテンツ制御信号を出力する制御手段と、
入力した映像データ及び上記映像制御信号に含まれる表示制御内容に基づいて表示情報を格納した映像を生成する映像生成手段と、
上記映像生成手段から入力した映像に含まれる表示情報に基づいて表示制御内容を示す制御コマンドを出力するコマンド検出手段と、
上記コンテンツ制御信号及び上記制御コマンドが示す表示制御内容に基づいて当該表示制御内容に合ったコンテンツ画像を生成する画像生成手段と、
上記制御コマンドが示す表示制御内容に従って、上記画像生成手段からのコンテンツ画像と上記映像生成手段からの映像を合わせて表示させるよう出力する表示処理手段と、
を備えた映像表示装置。
【請求項２】
上記画像生成手段は、上記コンテンツ制御信号に含まれるコンテンツ内容に基づいてコンテンツ画像を生成し、上記制御コマンドが示す表示制御内容に従って上記コンテンツ画像を変換して重畳用コンテンツ画像を生成し、
上記表示処理手段は、上記制御コマンドが示す表示制御内容に従って、上記映像生成手段からの映像と上記画像生成手段からの重畳用コンテンツ画像を重畳して、重畳した映像を出力することを特徴とする請求項１記載の映像表示装置。
【請求項３】
上記画像生成手段は、上記コンテンツ制御信号に含まれるコンテンツ内容及び上記制御コマンドが示す表示制御内容に基づいて、上記映像生成手段が生成した映像に連動するコンテンツ画像を生成し、
上記表示処理手段は、上記映像生成手段からの映像と上記画像生成手段からのコンテンツ画像をそれぞれ別画面に同時に表示させるよう出力することを特徴とする請求項１記載の映像表示装置。
【請求項４】
上記制御手段は、コンテンツ画像を表示させる映像のフレーム番号の指定を含む映像制御信号及びコンテンツ制御信号を出力し、
上記コマンド検出手段は、上記映像生成手段から入力した映像の所定のフレームに含まれる映像のフレーム番号と制御コマンドを出力し、
上記画像生成手段は、上記コマンド検出手段からのフレーム番号に基づいて、入力される映像のフレームをカウントアップし、上記コンテンツ制御信号で指定されたフレーム番号になると、上記コンテンツ制御信号に含まれるコンテンツ内容及び上記制御コマンドが示す表示制御内容に基づいてコンテンツ画像を生成することを特徴とする請求項１記載の映像表示装置。
【請求項５】
上記制御手段は、コンテンツ内容を含む映像制御信号を出力し、
上記映像生成手段は、上記映像制御信号に含まれるコンテンツ内容に基づいてコンテンツ情報としての表示情報を格納した映像を生成し、
上記コマンド検出手段は、上記映像生成手段から入力した映像に含まれる表示情報に基づいて制御コマンドとしての描画コマンドを出力し、
上記画像生成手段は、上記コマンド検出手段からの描画コマンドに基づいて、文字を描画したコンテンツ画像を生成することを特徴とする請求項１記載の映像表示装置。
【請求項６】
指示又は設定されたタイミングで、映像の作成を指示する映像制御信号及びコンテンツの作成を指示するコンテンツ制御信号を出力する制御手段と、
入力した映像データ及び上記映像制御信号に基づき表示情報を格納した映像を生成する映像生成手段と、
上記映像生成手段から入力した映像に含まれる表示情報に基づいてコンテンツ変換処理の開始を指示する開始コマンドを出力するコマンド検出手段と、
上記開始コマンドを入力すると、上記制御手段からのコンテンツ制御信号と予め記憶された制御コマンドが示す表示制御内容とに基づいて当該表示制御内容に合ったコンテンツ画像を生成する画像生成手段と、
上記制御コマンドが示す表示制御内容に従って、上記画像生成手段からのコンテンツ画像と上記映像生成手段からの映像を合わせて表示させるよう出力する表示処理手段と、
を備えた映像表示装置。
【請求項７】
上記映像生成手段により映像に格納された表示情報は映像中の色情報であり、
上記コマンド検出手段は、映像中の色情報に対応する制御コマンドを出力することを特徴とする請求項１から請求項５のうちのいずれか１項記載の映像表示装置。
【請求項８】
上記映像生成手段により映像に格納された表示情報は映像中の模様又は単一色フレームであり、
上記コマンド検出手段は、映像中の模様又は単一色フレームを検出すると開始コマンドを出力することを特徴とする請求項６記載の映像表示装置。
【発明の詳細な説明】
【技術分野】
【０００１】
この発明は、例えば映像とコンテンツ画像を合わせて表示する映像表示装置に関するものである。
【背景技術】
【０００２】
映像表示装置においては、例えばスーパーインポーズやＯＳＤ（On Screen Display）やＧＵＩ（Graphical User Interface）などを用いて、映像と共に文字や画像などのコンテンツ画像とを合わせて付加情報を追加した映像として表示する技術が知られている。この技術を用いた映像表示装置には、例えば映像上にコンテンツ画像を重畳表示する映像表示装置、１画面を分割して映像とコンテンツ画像を分けて表示する映像表示装置、２画面以上の画面を有しそれぞれの画面に映像とコンテンツ画像を分けて表示する映像表示装置などがある。
【０００３】
これらの映像表示装置では、映像表示とコンテンツ画像表示をまとめて制御する方法又は映像表示とコンテンツ画像表示を別々に制御する方法により映像とコンテンツ画像を同時に表示している。映像表示とコンテンツ画像表示をまとめて制御する方法は、例えばクローズドキャプションやデータ放送のように映像とコンテンツ画像を合わせた信号が送信され、この信号を受信して処理し、映像と共にコンテンツ画像を合わせて表示する技術が開示されている（例えば特許文献１、特許文献２を参照）。しかし、映像表示とコンテンツ画像表示をまとめて制御する方法では、画面ごとに異なるコンテンツ画像を表示したり、コンテンツ画像のみをリアルタイムに変更したりすることが困難である。
一方、映像表示とコンテンツ画像表示を別々に制御する方法では、映像とコンテンツ画像は独立して生成されており、コンテンツ画像のみ、もしくは、映像のみをリアルタイムに変更することができる。
【先行技術文献】
【特許文献】
【０００４】
【特許文献１】特開２００４−３２１１１号公報
【特許文献２】特開平０９−２８９６２８号公報
【発明の概要】
【発明が解決しようとする課題】
【０００５】
しかしながら、上述した映像表示とコンテンツ画像表示を別々に制御する方法では、例えば、特定の映像が表示されているときに特定の文字画像を重畳する処理を行う場合、特定の映像を出力するまでの所要時間を予測することが困難であり、特定の映像に特定の文字画像を同期させて処理を行うことができず、映像の特定のビデオフレームに対して特定のコンテンツ画像を合わせて表示することができないという課題があった。
【０００６】
この発明は、上述した課題を解決するためになされたものであり、映像表示とコンテンツ表示を別々に制御すると共に、映像の特定のフレームに対して特定のコンテンツを合わせて表示する映像表示装置を提供することを目的とする。
【課題を解決するための手段】
【０００７】
この発明に係る映像表示装置は、指示又は設定されたタイミングで、映像の作成と表示制御内容とを指示する映像制御信号及びコンテンツの作成を指示するコンテンツ制御信号を出力する制御手段と、入力した映像データ及び映像制御信号に含まれる表示制御内容に基づいて表示情報を格納した映像を生成する映像生成手段と、映像生成手段から入力した映像に含まれる表示情報に基づいて表示制御内容を示す制御コマンドを出力するコマンド検出手段と、コンテンツ制御信号及び制御コマンドが示す表示制御内容に基づいて当該表示制御内容に合ったコンテンツ画像を生成する画像生成手段と、制御コマンドが示す表示制御内容に従って、画像生成手段からのコンテンツ画像と映像生成手段からの映像を合わせて表示させるよう出力する表示処理手段と、を備えたものである。
【発明の効果】
【０００８】
この発明に係る映像表示装置によれば、指示又は設定されたタイミングで、映像の作成と表示制御内容とを指示する映像制御信号及びコンテンツの作成を指示するコンテンツ制御信号を出力する制御手段と、入力した映像データ及び映像制御信号に含まれる表示制御内容に基づいて表示情報を格納した映像を生成する映像生成手段と、映像生成手段から入力した映像に含まれる表示情報に基づいて表示制御内容を示す制御コマンドを出力するコマンド検出手段と、コンテンツ制御信号及び制御コマンドが示す表示制御内容に基づいて当該表示制御内容に合ったコンテンツ画像を生成する画像生成手段と、制御コマンドが示す表示制御内容に従って、画像生成手段からのコンテンツ画像と映像生成手段からの映像を合わせて表示させるよう出力する表示処理手段と、を備えるように構成したので、映像表示とコンテンツ表示を別々に制御すると共に、映像の特定のフレームに対して特定のコンテンツを合わせて表示することができる。その結果、映像の特定のビデオフレームに対して特定のコンテンツ画像を合わせて表示すると共に、画面ごとに異なるコンテンツ画像を表示したり、コンテンツ画像のみをリアルタイムに変更したりすることができる。
【図面の簡単な説明】
【０００９】
【図１】この発明の実施の形態１による映像表示装置の構成を示す図である。
【図２】この発明の実施の形態１におけるコマンド部の構成を示す図である。
【図３】この発明の実施の形態１におけるコマンド部の一例を示す図である。
【図４】この発明の実施の形態１における映像とコンテンツ画像の一例を示す図である。
【図５】この発明の実施の形態１における重畳用のコンテンツ画像を示す図である。
【図６】この発明の実施の形態１における重畳映像の一例を示す図である。
【図７】この発明の実施の形態２におけるコマンド部の一例を示す図である。
【図８】この発明の実施の形態２における映像と映像に連動したコンテンツ画像の一例を示す図である。
【図９】この発明の実施の形態３におけるコマンド部の一例を示す図である。
【図１０】この発明の実施の形態４におけるコマンド部の一例を示す図である。
【図１１】この発明の実施の形態４における重畳映像の一例を示す図である。
【図１２】この発明の実施の形態４における重畳映像の一例を示す図である。
【図１３】この発明の実施の形態５における開始コマンドの一例を示す図である。
【発明を実施するための形態】
【００１０】
以下、この発明の実施の形態を、図面を参照しながら詳細に説明する。
実施の形態１．
図１は、この発明の実施の形態１による映像表示装置の構成の一例を示すブロック図である。映像表示装置１は、図１に示すように映像入力手段１１、映像生成手段１２、コマンド検出手段１３、画像生成手段１４、表示処理手段１５、表示手段１６、制御手段１７で構成されている。
【００１１】
映像入力手段１１は外部から映像表示装置１へ映像を入力するように構成されており、例えば図示しないＤＶＤプレイヤーやメモリに蓄積された映像データ又はネットワークを介して受信した映像データを入力する。ここで映像入力手段１１で入力する映像データは、例えばＭＰＥＧ等の圧縮されたフォーマットの映像データ、ビデオテープやＤＶＤ等の媒体に格納されているフォーマットの映像データなどを示している。
【００１２】
映像生成手段１２は制御手段１７からの制御信号（映像制御信号）に従って、映像入力手段１１から入力した映像データの処理を行い映像としてコマンド検出手段１３及び表示処理手段１５へ出力するように構成されており、制御手段１７から制御信号による指示を受けて処理を開始、終了するよう制御されている。ここで、映像生成手段１２が出力する映像は、ＮＴＳＣ（National Television Standards Committee）で規格されているような一般的な映像フォーマットであれば良く、一般的な映像フォーマットで映像を出力した場合、映像の再生には一般的な映像機器を利用できる。なお、映像生成手段１２が出力する映像は、特殊な映像フォーマットであっても良く、例えばクローズドキャプションのように映像データに文字データ等を包含している映像フォーマット、データ放送のような映像データとコンテンツデータを合わせて出力する映像フォーマットであっても良い。
【００１３】
コマンド検出手段１３は、映像中の色情報（表示情報）に基づいて制御コマンドを出力するよう構成されている。コマンド検出手段１３は、予め色情報に対応する制御コマンドを記憶しており、映像中のピクセルの色情報を検出し、検出した色情報に基づいて制御コマンドを抽出し、抽出した制御コマンドを画像生成手段１４へ出力するよう機能する。コマンド検出手段１３は、例えば白を示すピクセルと黒を示すピクセルが横方向に交互に３回繰り返し並んだ構成を開始コマンドとして記憶しており、白を示すピクセルと黒を示すピクセルが横方向に並んだ構成を終了コマンドとして記憶しており、開始コマンドと終了コマンドに挟まれた色情報を検出して、色情報に対応する制御コマンドを抽出して出力する。なお、コマンド検出手段１３においては、予め記憶した制御コマンドを書き換え可能に構成しており、例えば制御手段１７により制御コマンドが必要に応じて書き換えられることで、画像生成手段１４又は表示処理手段１５の処理内容を変更することができる。
【００１４】
画像生成手段１４は、制御手段１７からの制御信号（コンテンツ制御信号）に基づいてコンテンツ画像を生成し、生成したコンテンツ画像を出力するよう機能する。また、画像生成手段１４は、コマンド検出手段１３からの制御コマンドに基づいて、生成したコンテンツ画像を変換処理して重畳用のコンテンツ画像を生成し、生成した重畳用のコンテンツ画像と上記制御コマンドを出力するよう機能する。なお、画像生成手段１４は、制御手段１７から制御コマンドを入力するように構成しても良い。その場合、画像生成手段１４は、コマンド検出手段１３からの制御コマンドと制御手段１７からの制御コマンドのいずれか若しくは両方に基いて生成したコンテンツ画像を変換処理して重畳用のコンテンツ画像を生成し、生成した重畳用のコンテンツ画像と上記制御コマンドを出力するよう機能する。
【００１５】
画像生成手段１４は、例えばマイコンや描画コントローラで構成されており、制御手段１７からの制御信号に基づいて予め記憶した文字や画像を選択して取得してコンテンツ画像を生成し、コマンド検出手段１３からの制御コマンドに基づいてコンテンツ画像を変換処理し、重畳用のコンテンツ画像を生成して制御コマンドと共に出力する。なお、画像生成手段１４は、後述する実施の形態４に示すような描画コマンドを実行して画像を生成するように構成しても良い。その場合、画像生成手段１４は、予め記憶した文字や画像を選択して取得することなくコンテンツ画像を生成することができる。
【００１６】
表示処理手段１５は、画像生成手段１４からの制御コマンドに基づいて、画像生成手段１４からのコンテンツ画像と映像生成手段１２からの映像を出力するよう構成されている。表示処理手段１５は、例えば、制御コマンドに基づいて画像生成手段１４からの重畳用のコンテンツ画像と映像生成手段１２からの映像を重畳するよう表示処理を行い、重畳映像を出力する。なお、表示処理手段１５は、制御手段１７から制御コマンドを入力するように構成しても良い。その場合、表示処理手段１５は、コマンド検出手段１３からの制御コマンドと制御手段１７からの制御コマンドのいずれか若しくは両方に基いて表示処理を行い、画像生成手段１４からのコンテンツ画像と映像生成手段１２からの映像を出力する。
【００１７】
表示手段１６は、画像生成手段１４からのコンテンツ画像と映像生成手段１２からの映像を合わせて表示するよう構成されており、例えば表示処理手段１５からの重畳映像を表示する液晶ディスプレイ等の表示器で構成されている。
【００１８】
制御手段１７は、映像生成手段１２と画像生成手段１４を制御するプログラムを格納しており、予め設定された開始時刻や外部からの指示に従ってプログラムを起動するよう構成されている。制御手段１７は、起動させたプログラムに従って、映像生成手段１２に映像の生成、出力を指示する制御信号を出力すると共に、画像生成手段１４にコンテンツ画像の生成、出力を指示する制御信号を出力するよう機能する。また、制御手段１７は、コンテンツ検出手段１３に予め記憶した制御コマンドを書き換えるよう機能する。なお、制御手段１７は、上述した画像生成手段１４又は表示処理手段１５へ処理の内容を示す制御コマンドを出力するよう構成しても良い。
【００１９】
このように、映像表示装置１は制御手段１７が映像生成手段１２と画像生成手段１４に制御信号を出力して、映像生成手段１２による映像の作成と画像生成手段１４によるコンテンツ画像の作成を別々に制御することにより、映像のみの差し替えやコンテンツ画像のみの変更を容易に行えるように構成している。
【００２０】
なお、映像生成手段１２は、入力した映像データがＭＰＥＧ等の圧縮された映像フォーマットである場合、映像データのデコードに時間が必要である。また、映像生成手段１２は、ビデオテープやＤＶＤ等の媒体に格納された映像データに基づいて映像を生成、出力する場合も、格納された媒体の違いにより、映像を再生するまでの所要時間が異なる。
【００２１】
したがって、制御手段１７は、映像生成手段１２へ映像の生成、出力を指示してから、映像生成手段１２が映像を出力するまでの所要時間を予め算出することは困難である。その結果、制御手段１７は、映像の作成とコンテンツ画像の作成を別々に制御する場合、映像生成手段１２からの映像と画像生成手段１４からのコンテンツ画像を合わせて重畳処理するよう制御することはできない。
【００２２】
そこで、この発明の実施の形態１では、上述した構成により、制御手段１７が映像の作成とコンテンツ画像の作成を別々に制御し、画像生成手段１４が映像生成手段１２からの映像を入力するタイミングでコンテンツ画像を重畳処理して出力するので、表示処理手段１５が映像生成手段１２からの映像と画像生成手段１４からのコンテンツ画像を合わせて出力できる。
【００２３】
ここで、実施の形態１の映像に含まれるコマンド部の構成及びコマンド検出手段１３が制御コマンドを抽出する処理動作の一例について説明する。図２はコマンド部の一例を示す図である。コマンド部１００は、図２に示すように映像に含まれるピクセルの色情報１００ａ〜１００ｈ，１０１〜１０８で構成されており、例えば映像において映像が開始するフレームの１フレーム前の映像の任意の位置に格納されている。
【００２４】
色情報１００ａ〜１００ｆは、図２に示すように白を示すピクセルと黒を示すピクセルが横方向に交互に３回繰り返し並んで構成されており、コマンド部１００の先頭に配置されている。色情報１００ａ〜１００ｆは、上述した図１のコマンド検出手段１３に開始コマンド１１０として予め記憶されている。開始コマンド１１０は、後述する制御コマンド１２０の開始位置を示すプリアンブルである。
【００２５】
色情報１００ｇ〜１００ｈは、図２に示すように白を示すピクセルと黒を示すピクセルが横方向に並んで構成され、コマンド部１００の末尾に配置されている。色情報１００ｇ〜１００ｈは、上述した図１のコマンド検出手段１３に終了コマンド１３０として予め記憶されている。終了コマンド１３０は、後述する制御コマンド１２０の終了位置を示すように機能する。
【００２６】
色情報１０１〜１０８は、図２に示すように開始コマンド１１０を示す色情報１００ａ〜１００ｆと終了コマンド１３０を示す色情報１００ｇ〜１００ｈに挟まれて配置されており、色情報１０１〜１０８に対応する制御コマンド１２１〜１２８は、上述した図１のコマンド検出手段１３に予め記憶されている。制御コマンド１２１〜１２８は、例えば「次フレームから映像画面を出力する」、「３０秒後に映像画面を終了する」などの制御命令や映像を表示する位置や枠の色等の情報、その他映像表示に関する制御命令、コンテンツ画像表示に関する制御命令又は情報を示している。制御コマンド１２１〜１２８は、制御コマンド１２０として上述した図１のコマンド検出手段１３により画像生成手段１４へ出力される。
【００２７】
このように、色情報に対応する制御コマンド１２０を予め設定しているので、コマンド部１００の色情報の色を変えるだけで多種多彩な制御を行うことができるようにしている。制御コマンド１２０は書き換え可能に構成されており、制御コマンド１２０を書き換えることで、必要に応じて制御内容を変更することができる。なお、色情報１０１〜１０８の数は指定するコマンドの数に応じて適宜設定されるものである。
【００２８】
コマンド検出手段１３が制御コマンド１２０を抽出する処理動作について説明する。コマンド検出手段１３は、映像生成手段１２から映像を入力すると、入力した映像に基づいて映像フレーム毎のピクセルの色情報を読み取り、白を示すピクセルと黒を示すピクセルが横方向に交互に３回繰り返し並んでいる配置を検出した場合、開始コマンド１１０と認識する。
【００２９】
コマンド検出手段１３は、開始コマンド１１０を認識すると制御コマンド１２０が存在すると判断し、開始コマンド１１０の次に位置するピクセルからピクセルの色情報を検出して色情報１０１に応じた制御コマンド１２１を画像生成手段１４へ出力する。
【００３０】
コマンド検出手段１３は、順にピクセルの色情報を検出して色に応じた制御コマンド１２２〜１２８を出力し、白を示すピクセルと黒を示すピクセルが横方向に並んでいる配置を検出すると終了コマンド１３０として認識し、制御コマンド１２０の出力を終了する。
【００３１】
次に、制御コマンド１２０の具体的一例について図３を用いて説明する。
コマンド部２００は、図３に示すように開始コマンド２１０を示す色情報、制御コマンド２２０を示す色情報２０１〜２０５、終了コマンド２３０を示す色情報で構成されており、開始コマンド２１０と終了コマンド２３０は上述した図２の開始コマンド１１０と終了コマンド１３０と同じ構成である。
【００３２】
図３に示す色情報２０１〜２０５と制御コマンド２２１〜２２５は、予め対応付けられて、上述した図１のコマンド検出手段１３に記憶されている。制御コマンド２２１は「次フレームから映像の表示を開始する」、制御コマンド２２２は「映像画面の開始位置」、制御コマンド２２３は「映像画面の終了位置」、制御コマンド２２４は「映像画面の枠の色」、制御コマンド２２５は「映像の表示開始から３０秒後に映像の表示を終了する」を示す制御コマンドである。
【００３３】
次に、映像表示装置１の処理動作について、ここでは列車内に設置された映像表示装置１を一例として図４〜図６を用いて説明する。図４（ａ）は映像生成手段１２が生成する映像の一例を示しており、図４（ｂ）は画像生成手段１４が生成するコンテンツ画像の一例を示している。図５は画像生成手段１４が生成する重畳用のコンテンツ画像の一例を示している。図６は表示処理手段１５が重畳処理を行って出力する重畳映像の一例を示している。
【００３４】
映像表示装置１は、映像入力手段１１が例えば図示しないＤＶＤプレイヤーやメモリに蓄積された映像データやネットワークを介して受信した映像データを入力しており、図示しない操作手段又は制御手段１７に格納されたプログラムによる信号を契機として処理を開始する。
【００３５】
制御手段１７は、例えば外部からの指示に従ってコンテンツ画像を表示するためのプログラムを起動し、プログラムに基づいて画像生成手段１４にコンテンツ画像の生成、出力を指示する制御信号を出力する。
【００３６】
画像生成手段１４は、制御手段１７から制御信号を入力すると、制御信号に基づいて予め記憶した文字や画像を選択して取得し、図４（ｂ）に示すような次の停車駅が表示された列車の運行状況に関するコンテンツ画像２０ｂを生成して出力する。画像生成手段１４から出力されたコンテンツ画像２０ｂは、表示処理手段１５を介して表示手段１６へ出力されて表示される。
【００３７】
次に制御手段１７は、予め設定された開始時刻や外部からの指示に従って映像を表示するためのプログラムを起動し、プログラムに基づいて映像生成手段１２に映像の生成、出力を指示する制御信号を出力する。
【００３８】
映像生成手段１２は、制御手段１７から制御信号を入力すると処理を開始し、映像入力手段１１から映像データを入力し、入力した映像データに基づいてデータフォーマットを判定する。映像生成手段１２は、判定したデータフォーマットに応じて映像データを処理して、図４（ａ）の映像２０ａに示すような饅頭に関する３０秒間の広告の映像を表示処理手段１５とコマンド検出手段１３へ出力する。
【００３９】
コマンド検出手段１３は、映像生成手段１２から映像を入力すると、入力した映像に基づいて映像フレーム毎のピクセルの色情報を読み取り、白を示すピクセルと黒を示すピクセルが横方向に交互に３回繰り返し並んでいる配置を検出した場合、開始コマンド２１０として認識する。
【００４０】
コマンド検出手段１３は、開始コマンド２１０を認識すると制御コマンド２２０が存在すると判断し、開始コマンド２１０の次に位置するピクセルからピクセルの色情報２０１〜２０５を検出する。コマンド検出手段１３は、色情報２０１，２０２，２０３，２０４，２０５に応じた制御コマンド２２１，２２２，２２３，２２４，２２５を順に抽出して画像生成手段１４へ出力する。
【００４１】
コマンド検出手段１３は、次に白を示すピクセルと黒を示すピクセルが横方向に並んでいる配置を検出すると終了コマンド２３０として認識し、制御コマンド２２０の出力を終了する。なお、映像表示装置１において、映像にフィルタリング等の映像処理を施す場合、フィルタリング処理により映像の画像データが書き換えられてしまい制御コマンド２２０を検出できなくなるため、コマンド検出手段１３は映像処理前の映像を監視する。
【００４２】
画像生成手段１４は、コマンド検出手段１３から制御コマンド２２０を入力するまで上述した図４（ｂ）のコンテンツ画像２０ｂを生成している。画像生成手段１４は、コマンド検出手段１３から制御コマンド２２０として制御コマンド２２１，２２２，２２３，２２４，２２５を入力すると、制御コマンド２２１に基づいてコンテンツ画像２０ｂの変換処理を開始する。画像生成手段１４は、制御コマンド２２２，２２３，２２４に基づいて映像画面の表示位置を決定して枠を生成する。画像生成手段１４は、例えば図５に示すようにコンテンツ画像を画面上方向に移動させると共に、映像を重畳表示するスペースとして矩形枠で囲まれた重畳表示部分２１´を設けた重畳用のコンテンツ画像２１を生成し、生成した重畳用のコンテンツ画像２１と共に制御コマンド２２０を表示処理手段１５へ出力する。なお、画像生成手段１４は、コンテンツ画像の内容を簡素化して重畳表示部分２１´を設けて重畳用のコンテンツ画像２１を生成するよう構成しても良い。また、重畳表示部分２１´は矩形に限定するものではない。
【００４３】
表示処理手段１５は、映像生成手段１２から映像２０ａを入力すると共に、映像の入力に合わせて画像生成手段１４から重畳用のコンテンツ画像２１と制御コマンド２２０を入力する。表示処理手段１５は、制御コマンド２２０に基づいて映像２０ａの解像度変換や切り出し処理等の変換処理を行って映像２２ａに変換し、コンテンツ画像２１の重畳表示部分２１´領域に映像２２ａを合わせて重畳処理を行い、図６に示すように重畳映像２２を生成する。表示処理手段１５は、上述した図４（ｂ）のコンテンツ画像２０ｂの出力に替えて、重畳処理した重畳映像２２を表示手段１６へ出力する。表示手段１６は、表示処理手段１５から重畳映像２２を入力すると、ディスプレイの画面に重畳映像２２を表示する。なお、この処理の際、表示処理手段１５は、画像生成手段１４から制御コマンド２２０を入力せず制御手段１７から制御コマンド２２０を入力した場合、制御手段１７からの制御コマンド２２０に基づいて上記変換処理を行う。また、表示処理手段１５は、画像生成手段１４から制御コマンド２２０を入力すると共に、制御手段１７から補助的に制御コマンド２２０を入力した場合、両方の制御コマンド２２０に基づいて変換処理を行う。
【００４４】
画像生成手段１４は、制御コマンド２２０の制御コマンド２２５と図示しない計時部からの時刻に基づいて、重畳用のコンテンツ画像２１の出力を開始してから３０秒を経過したと判断すると、重畳用のコンテンツ画像２１への変換処理を終了して、上述した図４（ｂ）のコンテンツ画像２０ｂを再度生成し始め、コンテンツ画像２０ｂと制御コマンド２２５を表示処理手段１５へ出力する。
【００４５】
表示処理手段１５は、画像生成手段１４からコンテンツ画像２０ｂと制御コマンド２２５を入力すると、制御コマンド２２５に基づいて重畳処理を終了してコンテンツ画像２０ｂを表示手段１６へ出力する。このようにして、表示手段１６において広告の映像は表示されなくなる。
【００４６】
なお、画像生成手段１４はコマンド２２５に基づいて予め重畳処理時間を表示処理手段１５へ出力し、表示処理手段１５が経過時間を判断して重畳処理を終了するよう構成しても良い。
【００４７】
また、映像生成手段１２が映像に基づいて映像の重畳処理を終了する制御命令を表示処理手段１５へ出力し、重畳処理を終了するよう構成しても良い。
【００４８】
また、３０秒間の広告映像の映像中に処理を指示する制御コマンド２２０を埋め込んでおき、例えば映像の重畳終了処理コマンドや映像表示位置の変更コマンドを実行するよう構成しても良い。ただし、この場合、映像中のコマンド部２００としてのピクセルの色が映像として表示されることを防ぐため、コマンド部２００を設定可能な特定色に置き換える、または重畳用のコンテンツ画像２１によりコマンド部２００を示す映像部分を上書きするといった処理を表示処理手段１５で行う必要がある。
【００４９】
以上のように、実施の形態１によれば、制御手段１７は格納しているプログラムを起動させて映像生成手段１２と画像生成手段１４へ制御信号を出力し、映像生成手段１２は制御手段１７からの制御信号に従って、映像入力手段１１から入力した映像を生成し、コマンド検出手段１３は映像生成手段１２から入力した映像に含まれる色情報２０１〜２０５に基づいて制御コマンド２２０を検出し、画像生成手段１４は制御手段１７からの制御信号に基づいてコンテンツ画像２０ｂを生成し、制御コマンド２２０に基づいてコンテンツ画像２０ｂを変換処理して重畳用のコンテンツ画像２１を生成し、表示処理手段１５は重畳用のコンテンツ画像２１、制御コマンド２２０、映像２０ａを入力し、制御コマンド２２０に基づいて映像２０ａを変換処理して重畳用の映像２２ａを生成し、映像２２ａと重畳用のコンテンツ画像２１を合わせて重畳処理して重畳映像２２として表示手段１６へ出力するように構成したので、映像作成とコンテンツ画像作成を別々に制御する構成において、映像２０ａが出力されるまでの所要時間が分からずとも、映像２０ａの特定のフレームに対して特定のコンテンツ画像２１を合わせて表示することができるという効果が得られる。
【００５０】
実施の形態２．
実施の形態１においては、映像とコンテンツ画像を重畳して同一の画面で表示する構成について説明したが、実施の形態２は２画面以上の画面に映像とコンテンツ画像を分けて表示する構成について説明する。なお、実施の形態２の映像表示装置１の構成は、上述した図１の映像表示装置１と略同様であり、同一の構成については説明を省略する。また、必要に応じて図２〜図６を用いて説明する。また、図７は実施の形態２の映像表示装置１において用いるコマンド部２００´の一例を示しており、図８は実施の形態２の映像表示装置１によって出力される映像及びコンテンツ画像の一例を示している。
【００５１】
映像入力手段１１、映像生成手段１２、コマンド検出手段１３、制御手段１７は実施の形態１の構成と略同様である。画像生成手段１４は、制御手段１７からの制御信号に基づいて上述した図４（ｂ）に示すコンテンツ画像２０ｂを生成し、コマンド検出手段１３からの制御コマンド２２０´に基づいてコンテンツ画像２０ｂを変換処理すると共に映像２０ａを注目させるような表示２３´を挿入し、図８に示すような映像に連動するコンテンツ画像２３を生成するよう機能する。画像生成手段１４は、映像に連動するコンテンツ画像２３と共に制御コマンド２２０´を表示処理手段１５へ出力する。
【００５２】
表示処理手段１５は、画像生成手段１４からの制御コマンド２２０´に基づいて、映像生成手段１２からの映像２０ａと画像生成手段１４からのコンテンツ画像２３を同じタイミングで合わせて、それぞれ別々の信号として表示手段１６へ出力する。
【００５３】
表示手段１６は、表示処理手段１５から入力した映像２０ａとコンテンツ画像２３を表示するように機能しており、例えば図８に示すように少なくとも２つの画面１６ａ，１６ｂを有する液晶ディスプレイ等の表示機器で構成されている。
【００５４】
ここで、実施の形態２において、図７に示す制御コマンド２２０´は、例えば制御コマンド２２１´が「次フレームから映像の表示を開始する」、制御コマンド２２２´が「映像に連動したコンテンツ画像を生成、出力する」、制御コマンド２２３´が「映像を表示手段の第１の画面へ出力する」、制御コマンド２２４´が「映像に連動したコンテンツ画像を表示手段の第２の画面へ出力する」、制御コマンド２２５´が「映像の表示開始から３０秒後に映像の表示を終了する」を含んだものである。
【００５５】
次に実施の形態２の映像表示装置１の制御コマンド２２０´に基づく処理動作について説明する。なお、実施の形態１と同様の処理動作の説明を省略するため、画像生成手段１４がコマンド検出手段１３から制御コマンド２２０´を入力する処理動作から説明する。
【００５６】
画像生成手段１４は、コマンド検出手段１３から制御コマンド２２０´を入力するまで上述した図４（ｂ）のコンテンツ画像２０ｂを生成している。画像生成手段１４は、コマンド検出手段１３から制御コマンド２２０´として制御コマンド２２１´，２２２´，２２３´，２２４´，２２５´を入力すると、制御コマンド２２１´に基づいてコンテンツ画像２０ｂの変換処理を開始する。画像生成手段１４は、制御コマンド２２２´に基づいて、上述した図４（ｂ）のコンテンツ画像２０ｂを画面上方向に移動させ、予め記憶している画像２３´を挿入して、映像２０ａに連動したコンテンツ画像２３を生成し、表示処理手段１５へ出力する。画像２３´は「広告表示中」であることを示して映像２０ａの注意喚起を行う画像であり、予め画像生成手段１４に記憶されている。なお、画像生成手段１４は、コンテンツ画像の内容を簡素化して画像２３´を挿入し、映像２０ａに連動したコンテンツ画像２３を生成するよう構成しても良い。
【００５７】
表示処理手段１５は、映像生成手段１２から映像２０ａを入力すると共に、映像の入力に合わせて画像生成手段１４から映像２０ａに連動したコンテンツ画像２１と制御コマンド２２０´を入力する。表示処理手段１５は、制御コマンド２２０´に基づいて、映像２０ａと映像２０ａに連動したコンテンツ画像２３を合わせて出力する。表示処理手段１５は、上述した図４（ｂ）のコンテンツ画像２０ｂの出力に替えて、映像２０ａと映像２０ａに連動したコンテンツ画像２３を表示手段１６へ出力する。表示手段１６は表示処理手段１５から映像２０ａと映像２０ａに連動したコンテンツ画像２３を入力すると、表示手段１６の画面１６ａは映像２０ａを表示すると共に、表示手段１６の画面１６ｂは映像２０ａに連動したコンテンツ画像２３を表示する。
【００５８】
画像生成手段１４は、制御コマンド２２０´の制御コマンド２２５´と図示しない計時部からの時刻に基づいて、映像２０ａに連動したコンテンツ画像２３の出力を開始してから３０秒を経過したと判断すると、映像２０ａに連動したコンテンツ画像２３への変換処理を終了して、上述した図４（ｂ）のコンテンツ画像２０ｂを再度生成し始め、コンテンツ画像２０ｂと制御コマンド２２５´を表示処理手段１５へ出力する。
【００５９】
表示処理手段１５は、画像生成手段１４からコンテンツ画像２０ｂと制御コマンド２２５´を入力すると、制御コマンド２２５´に基づいてコンテンツ画像２０ｂを表示手段１６へ出力する。このようにして、表示手段１６において広告の映像は表示されなくなる。
【００６０】
以上のように、この発明の実施の形態２によれば、表示処理手段１５は映像２０ａと映像２０ａに連動したコンテンツ画像２３をそれぞれ表示手段１６へ出力し、表示手段１６は少なくとも２つの画面１６ａ，１６ｂを有しており、映像２０ａと映像２０ａに連動したコンテンツ画像２３をそれぞれの画面１６ａ，１６ｂで表示するよう構成したので、実施の形態１と同様の効果が得られると共に、映像への注目度を高めることができるという効果が得られる。
【００６１】
実施の形態３．
実施の形態１，２においては、コマンド部２００，２００´を埋め込んだフレームの次のフレームから映像２０ａを表示する構成について説明したが、実施の形態３は映像２０ａのフレーム番号を指定して映像２０ａの表示を開始する構成について説明する。実施の形態３においては、必要に応じて上述した図１〜図８又は図９を用いて説明する。図９は実施の形態３の映像表示装置１におけるコマンド部の一例を示している。
【００６２】
実施の形態３の映像表示装置１の構成について説明する。なお、実施の形態３の映像表示装置１の構成は上述した図１の映像表示装置１の構成と略同様であり、同一の機能を有する構成の説明を省略し、異なる機能を有する構成を説明する。上述した図１の映像入力手段１１、映像生成手段１２、表示処理手段１５、表示手段１６は実施の形態１又は実施の形態２と同様の構成である。
【００６３】
コマンド検出手段１３は、予め色情報と数字を対応させて記憶しており、映像中にコマンド部を示す色情報が含まれているかを監視し、映像中にコマンド部が含まれていると判断した場合、映像のピクセルの色情報に基づいて色に対応する数字に変換するよう構成されている。コマンド検出手段１３は、色情報を変換した数字をフレーム番号として画像生成手段１４へ出力する。また、コマンド検出手段１３は、実施の形態１，２と同様に映像中の色情報に基づいて制御コマンドを出力するようにも構成されている。
【００６４】
画像生成手段１４は、制御手段１７からの制御信号に基づいて文字や画像などのコンテンツ画像を生成するよう機能する。また、画像生成手段１４は、コマンド検出手段１３から入力したフレーム番号に基づいて、次から入力される映像のフレームをカウントアップし、制御手段１７からの制御信号で指定されたフレーム番号になると、制御手段１７からの制御信号及びコマンド検出手段１３からの制御コマンドに基づいて、実施の形態１と同様に処理を行い重畳用のコンテンツ画像２１を生成し、生成したコンテンツ画像２１とコマンド検出手段１３からの制御コマンド２２０を表示処理手段１５へ出力する。又は実施の形態２と同様に処理を行い映像２０ａに連動したコンテンツ画像２３を生成し、生成したコンテンツ画像２３とコマンド検出手段１３からの制御コマンド２２０´を表示処理手段１５へ出力する。なお、画像生成手段１４は、制御手段１７から制御信号と共に、所定のフレーム番号に対応する制御コマンド２２０，２２０´を入力して設定するよう構成しても良い。その場合、画像生成手段１４は、コマンド検出手段１３から入力したフレーム番号に基づいて、次から入力される映像のフレームをカウントアップし、制御手段１７からの制御信号で指定されたフレーム番号になると、制御手段１７からの制御信号及び制御コマンド２２０，２２０´に基づいて上記実施の形態１又は実施の形態２と同様に処理を行う。
【００６５】
制御手段１７は、映像生成手段１２と画像生成手段１４を制御するプログラムを格納しており、格納しているプログラムに基づき映像生成手段１２に対して映像の生成、出力を指示する制御信号を出力すると共に、画像生成手段１４に対してコンテンツ画像の生成、出力を指示する制御信号を出力するよう機能する。制御手段１７は、映像のフレーム番号を指定するプログラムを格納しており、格納しているプログラムを実行することにより、指定したフレーム番号の映像２０ａのフレームが入力してからコンテンツ画像２０ｂの変換処理を行うよう画像生成手段１４へ要求する。
【００６６】
ここで、映像に含まれるコマンド部について図９を用いて説明する。コマンド部３００は、図９に示すように開始コマンド３１０を示す色情報、制御コマンド３２０を示す色情報３０１〜３０５、終了コマンド３３０を示す色情報で構成されている。開始コマンド３１０は上述した図２の開始コマンド１１０と同じ構成であり、終了コマンド３３０は上述した図２の終了コマンド１３０と同じ構成である。
【００６７】
図９に示す色情報３０１〜３０５は、予め数字と対応付けられており、上述した図１のコマンド検出手段１３に記憶されている。ここでは、図９に示すようにフレーム番号３２０は数字３２１が「０」、数字３２２が「０」、数字３２３が「０」、数字３２４が「１」、数字３２５が「０」を示しており、フレーム番号３２０は「０００１０」である。
【００６８】
なお、コマンド部３００は映像の各フレームの任意の位置に格納するように構成しても良いし、任意のフレームに格納するように構成しても良い。
【００６９】
コマンド検出手段１３がフレーム番号を出力する処理動作について説明する。コマンド検出手段１３は、映像生成手段１２から映像を入力すると、入力した映像に基づいてピクセルの色情報を読み取り、白を示すピクセルと黒を示すピクセルが横方向に交互に３回繰り返し並んでいる配置を検出した場合、開始コマンド３１０として認識する。
【００７０】
コマンド検出手段１３は、開始コマンド３１０を認識するとフレーム番号３２０が存在すると判断し、開始コマンド３１０の次に位置するピクセルの色情報３０１を検出する。コマンド検出手段１３は、検出した色情報３０１を色に応じた数字３２１「０」に変換し、続いて色情報３０２，３０３，３０４，３０５を順に検出し、色に応じた数字３２２「０」，３２３「０」，３２４「１」，３２５「０」に変換する。コマンド検出手段１３は、フレーム番号３２０「０００１０」を画像生成手段１４へ出力する。
【００７１】
コマンド検出手段１３は、白を示すピクセルと黒を示すピクセルが横方向に並んでいる配置を認識すると終了コマンド３３０として検出し、フレーム番号３２０の検出を終了する。
【００７２】
次に、実施の形態３における映像表示装置１の処理動作について説明する。なお、実施の形態１と説明が重複するため、コマンド検出手段１３が開始コマンド３１０を認識した後の処理動作から説明する。
【００７３】
コマンド検出手段１３は、開始コマンド３１０を認識するとフレーム番号３２０が存在すると判断し、開始コマンド３１０の次に位置するピクセルの色情報３０１から色情報３０５までを順に検出して色に応じた数字３２１から数字３２５に変換し、フレーム番号３２０「０００１０」を画像生成手段１４へ出力する。
【００７４】
画像生成手段１４は、コマンド検出手段１３からフレーム番号３２０「０００１０」を入力すると、映像生成手段１５から出力された映像のフレーム番号が「０００１０」であると認識する。画像生成手段１４は、続けて入力した映像に基づいて映像のフレーム番号３２０「０００１０」をカウントアップして「０００１１」とし、以降、映像のフレーム番号を認識し続ける。
【００７５】
画像生成手段１４は、コマンド検出手段１３からフレーム番号３２０「０００１０」を入力した後、続けて実施の形態１又は実施の形態２と同様に図３の制御コマンド２２０又は図７の制御コマンド２２０´を入力する。
【００７６】
ここで、制御手段１７は映像のフレーム番号を指定するプログラムを格納しており、プログラムには、例えばフレーム番号「０００１１」から映像とコンテンツ画像を重畳し、フレーム番号「００１００」で映像とコンテンツ画像の重畳を終了するという制御信号が記載されている。
【００７７】
画像生成手段１４は、制御手段１７から制御信号を入力し、制御信号に基づいて実施の形態１と同様にコンテンツ画像２０ａを生成している。画像生成手段１４は、映像のフレーム番号が「０００１１」であると認識すると、コンテンツ画像２０ｂの変換処理を開始する。画像生成手段１４は、上述した実施の形態１又は実施の形態２と同様の処理動作により変換処理を行い、重畳用のコンテンツ画像２１ｂ又は映像２０ａに連動したコンテンツ画像２２を生成し、制御コマンドと共に表示処理手段１５へ出力する。以降の処理動作の説明は、実施の形態１又は実施の形態２の処理動作の説明と重複するため省略する。
【００７８】
以上のように、実施の形態３によれば、制御手段は、格納しているプログラムを起動させて、コンテンツ画像を表示させる映像のフレーム番号の指定を含む制御信号を出力し、コマンド検出手段は、映像生成手段から入力した映像の所定のフレームに含まれる映像のフレーム番号と制御コマンドを出力し、画像生成手段は、コマンド検出手段からのフレーム番号に基づいて、入力される映像のフレームをカウントアップし、制御手段からの制御信号で指定されたフレーム番号になると、制御手段からの制御信号と、コマンド検出手段又は制御手段からの制御コマンドとに基づいてコンテンツ画像を生成し、生成したコンテンツ画像とコマンド検出手段からの制御コマンドを出力するよう構成したので、プログラムを変更するだけで映像のフレーム番号に対応してコンテンツ画像の変換処理を行うよう制御することができ、プログラムの変更により容易に処理内容を変更することができるという効果が得られる。
【００７９】
実施の形態４．
実施の形態３においては、画像生成手段１４が制御手段１７からの制御信号で指定されたフレーム番号になると制御コマンドに基づいてコンテンツ画像の変換処理を開始する構成について説明したが、実施の形態４は、制御コマンドとしての描画コマンドに基づいてコンテンツ画像を直接描画して生成する構成について説明する。
【００８０】
実施の形態４の映像表示装置１の構成は上述した実施の形態１における図１の映像表示装置１の構成と略同様であるため、同一の機能を有する構成の説明を省略する。映像入力手段１１、映像生成手段１２、コマンド検出手段１３、画像生成手段１４、表示処理手段１５、表示手段１６、制御手段１７は実施の形態１又は実施の形態２の構成と略同様である。
【００８１】
ここで、実施の形態４におけるコマンド部４００の構成について説明する。
図１０は実施の形態４の映像表示装置１におけるコマンド部４００の一例を示している。コマンド部４００は、図１０に示すように開始コマンド４１０を示す色情報、描画コマンド４２０を示す色情報４０１〜４０５、終了コマンド４３０を示す色情報で構成されており、例えば映像において映像が開始するフレームの１フレーム前の任意の位置に格納されている。開始コマンド４１０は上述した図２の開始コマンド１１０と同じ構成であり、終了コマンド４３０は上述した図２の終了コマンド１３０と同じ構成である。
【００８２】
描画コマンド４２０は、図１０に示すように複数の描画コマンド４２１〜４２８で構成されており、図１０に示す色情報４０１〜４０５と描画コマンド４２１〜４２５は、予め対応付けられて、上述した図１のコマンド検出手段１３に記憶されている。
【００８３】
描画コマンド４２１はコンテンツ画像の表示領域を生成する描画コマンドであり、例えば図１０に示す描画コマンド４２１の「矩形ＦＩＬＬ」は矩形領域を生成するための描画コマンドであり、「座標」は映像領域において矩形領域を生成する位置を示している。描画コマンド４２２は描画コマンド４２１で示したコンテンツ画像の表示領域の色を示しており、例えば矩形領域の色を指定するコマンドである。
【００８４】
描画コマンド４２３は作成するコンテンツ画像の種類と位置を示しており、例えば図１０に示す「文字描画」は作成するコンテンツ画像の種類を示しており、「座標」はコンテンツ画像を表示する位置を示している。描画描画コマンド４２４は描画コマンド４２３で示したコンテンツ画像の色を示しており、例えば文字描画の色を指定する描画コマンドである。
【００８５】
描画コマンド４２５，４２６，４２７は描画コマンド４２３で示すコンテンツ画像の構成要素を示しており、例えばそれぞれある任意の文字を示す文字コードである。なお、描画コマンド４２５〜４２７の数は指定する文字列に応じて適宜設定される。描画コマンド４２８は描画コマンド４２３で示したコンテンツ画像の生成を終了する制御命令であり、例えば文字描画を完了する制御命令である。
【００８６】
コマンド部４００の描画コマンド４２０はこのように構成されており、映像に格納したコマンドに描画コマンド４２０を格納することにより、映像を作成する段階において自由にコンテンツ画像の内容を作成することができるように構成されている。
なお、コマンド検出手段１３によるコマンド部４００の検出方法については、上述した実施の形態１又は実施の形態２の検出方法と同様であるため、説明を省略する。
【００８７】
次に実施の形態４の映像表示装置１の処理動作について説明する。なお、画像生成手段１４処理動作以外は上述した実施の形態１又は実施の形態２の処理動作と同様であり、その説明を省略する。
【００８８】
ここで画像生成手段１４の処理動作について説明する。
画像生成手段１４は、コマンド検出手段１３から制御コマンドとしての描画コマンド４２０を入力すると、入力した描画コマンド４２０の描画コマンド４２１に基づいて映像において指定された座標に矩形領域を生成し、生成した矩形領域を描画コマンド４２２で指定された色にする。
【００８９】
画像生成手段１４は、描画コマンド４２３に基づいて指定された座標においてコンテンツ画像の生成を開始し、描画コマンド４２４に基づいて文字の色を決定し、描画コマンド４２５，４２６，４２７の文字コードに基づいて文字を描画し、描画文字に基づいてコンテンツ画像を生成する。画像生成手段１４は、文字描画終了を示す描画コマンド４２８を認識すると文字描画を終了し、上述した矩形領域に文字描画を重ねてコンテンツ画像を生成する。画像生成手段１４は、生成したコンテンツ画像を表示処理手段１５へ出力する。
【００９０】
表示処理手段１５は、映像生成手段１２からの映像４０ａにコンテンツ画像４０ｂ又はコンテンツ画像４０ｃを重畳して重畳映像４１〜４３を、表示手段１６は図１１に示すようにコンテンツ画像４０ｂ又はコンテンツ画像４０ｃを字幕スーパーとして表示する。なお、画像生成手段１４、表示処理手段１５、表示手段１６は、実施の形態２の処理動作と同様に複数の画面に表示するように構成しても良い。
【００９１】
ここで、例えば図１１に示すように映像の所定のフレーム毎に描画コマンド４２０の文字コード４２５〜４２７として日本語「こんにちは！」と中国語
0005409408.tif 000002
を格納するように構成した場合、画像生成手段１４は、制御手段１７からの指示に従って、図１１（ａ）に示す日本語の「こんにちは！」と図１１（ｂ）に示す中国語の
0005409408.tif 000003
という２種類の文字列の字幕スーパーのいずれかに切り替えてコンテンツ画像４０ｂ又はコンテンツ画像４０ｃを生成する。また、画像生成手段１４は、制御手段１７からの指示に従って、図１１（ａ）に示す日本語の「こんにちは！」と図１１（ｂ）に示す中国語の
0005409408.tif 000004
という２種類の文字列の字幕スーパーの両方を所定の時間毎に切り替えてコンテンツ画像４０ｂ又はコンテンツ画像４０ｃを交互に生成することもできる。
【００９２】
また、画像生成手段１４は表示されない映像フレームの描画コマンド４２０を一時保管し、次に表示する映像フレームの描画コマンド４２０の内容と合わせて表示するように構成されている。図１２（ａ）の重畳映像４１と図１２（ｂ）の重畳映像４２が連続する映像において、映像を早送り再生するために重畳映像４１のフレームを飛ばして表示する場合、画像生成手段１４は重畳映像４１の描画コマンド４２０を一時保管する。画像生成手段１４は、重畳映像４２の映像の描画コマンド４２０を入力した後、重畳映像４１の描画コマンド４２０と重畳映像４２の描画コマンド４２０に基づいて図１２（ａ）のコンテンツ画像４１ｄ「こんにちは！」と図１２（ｂ）のコンテンツ画像４２ｅ「成田空港」を合わせて、図１２（ｃ）に示すようなコンテンツ画像４３ｆ「こんにちは！成田空港」を生成するように機能する。
【００９３】
以上のように、実施の形態４の映像表示装置１によれば、コマンド検出手段１３は映像生成手段１２から入力した映像に４０ａ含まれる色情報４０１〜４０８に基づいて制御コマンドとしての描画コマンド４２１〜４２８を出力し、画像生成手段１４はコマンド検出手段１３からの描画コマンド４２１〜４２８に基づいて、文字を描画したコンテンツ画像４０ｂ，４０ｃ，４１ｄ，４２ｅ，４３ｆを生成し、生成したコンテンツ画像４０ｂ，４０ｃ，４１ｄ，４２ｅ，４３ｆと共にコマンド検出手段からの描画コマンド４２１〜４２８を出力するように構成したので、実施の形態１又は実施の形態２と同様の効果が得られると共に、コンテンツ画像を予め記憶しておくことなく、処理動作を削減することができる。
【００９４】
実施の形態５．
実施の形態１から実施の形態４においては、映像中のピクセルの色情報にコマンド部１００，２００，３００，４００を格納した構成について説明したが、実施の形態５は映像中のピクセルの色情報としてコマンド部を格納できない場合の構成について説明する。
【００９５】
実施の形態５の映像表示装置１の構成について図１と図１２を用いて説明する。なお、映像表示装置１は、上述した図１の映像表示装置１の構成と略同様であり、同一の機能を有する構成については説明を省略する。映像入力手段１１、映像生成手段１２、表示処理手段１５、表示手段１６、制御手段１７の構成については、上述した実施の形態１又は実施の形態２の構成と略同様であるため、説明を省略する。
【００９６】
コマンド検出手段１３は、映像中のピクセルの表示情報を検出し、検出した表示情報に基づいて開始コマンドが含まれているかを監視しており、映像中に予め設定された表示情報が含まれている場合、開始コマンドを画像生成手段１４へ出力するよう機能する。コマンド検出手段１３は、例えば予め表示情報としての模様５０´をバッファとして記憶しており、模様５０´を検出すると開始コマンドを画像生成手段１４へ出力する。
【００９７】
画像生成手段１４は、制御手段１７からの制御信号に基づいてコンテンツ画像を生成するよう機能する。また、画像生成手段１４は、予め制御コマンドを記憶しており、コマンド検出手段１３からの開始コマンドをきっかけに予め記憶した制御コマンドに基づいてコンテンツ画像の変換処理を開始するよう機能する。
【００９８】
画像生成手段１４は、例えば制御手段１７からの制御信号に基づいて予め記憶した文字や画像を選択して取得し、前述した図４（ｂ）に示すようなコンテンツ画像２０ｂを生成する。また、画像生成手段１４は、コマンド検出手段１３からの開始コマンドをきっかけにして変換処理を開始し、予め記憶した制御コマンドに基づいてコンテンツ画像２０ｂを変換処理し、前述した図５に示すような重畳用のコンテンツ画像２１又は前述した図８に示すような映像２０ａに連動したコンテンツ画像２３を生成して、予め記憶した制御コマンドと共に出力する。
【００９９】
ここで、実施の形態５の開始コマンド５１０について図１３を用いて説明する。図１３は  開始コマンドの一例を示している。映像５０の１フレームには、図１３に示すように表示情報として模様５０´が含まれており、上述した図１のコマンド検出手段１３には模様５０´が開始コマンド５１０として対応付けられて予め記憶されている。
【０１００】
次に、実施の形態５の映像表示装置１の処理動作について説明する。なお、説明において、必要に応じて前述した図１〜図１３を用いて説明する。映像表示装置１は、映像入力手段１１が例えば図示しないＤＶＤプレイヤーやメモリに蓄積された映像データやネットワークを介して受信した映像データを入力しており、図示しない操作手段又は制御手段１７に格納されたプログラムによる信号を契機として処理を開始する。
【０１０１】
制御手段１７は、例えば外部からの指示に従ってコンテンツ画像を表示するためのプログラムを起動し、プログラムに基づいて画像生成手段１４にコンテンツ画像の生成、出力を指示する制御信号を出力する。
【０１０２】
画像生成手段１４は、制御手段１７から制御信号を入力すると、制御信号に基づいて予め記憶した文字や画像を選択して取得し、前述した図４（ｂ）に示すような次の停車駅が表示されたコンテンツ画像２０ｂを生成して出力する。画像生成手段１４から出力されたコンテンツ画像２０ｂは、表示処理手段１５を介して表示手段１６へ出力されて表示される。
【０１０３】
次に制御手段１７は、予め設定された開始時刻や外部からの指示に従って映像を表示するためのプログラムを起動し、プログラムに基づいて映像生成手段１２に映像の生成、出力を指示する制御信号を出力する。
【０１０４】
映像生成手段１２は、制御手段１７から制御信号を入力すると処理を開始し、映像入力手段１１から映像データを入力し、入力した映像データに基づいてデータフォーマットを判定し、判定したデータフォーマットに応じて映像データを処理して映像５０を表示処理手段１５とコマンド検出手段１３へ出力する。
【０１０５】
コマンド検出手段１３は、図１３に示すような映像５０の特定の位置に予め設定された模様５０´を検出すると、開始コマンド５１０として認識し、認識した開始コマンド５１０を画像生成手段１４へ出力する。
【０１０６】
画像生成手段１４は、開始コマンド５１０をきっかけにして、予め記憶した制御コマンドに基づいてコンテンツ画像を変換処理し、図５に示す重畳用のコンテンツ画像２１を生成する。画像生成手段１４は、重畳用のコンテンツ画像２１と予め記憶した制御コマンドを表示処理手段１５へ出力する。
【０１０７】
表示処理手段１５は、画像生成手段１４からの制御コマンドに基づいて、映像生成手段１２からの映像と画像生成手段１４からの重畳用のコンテンツ画像２１を重畳して重畳映像２２を表示手段１６へ出力し、表示手段１６は重畳映像２２を表示する。
【０１０８】
なお、説明では、画像生成手段１４と表示処理手段１５が、実施の形態１と同様に重畳する処理を行ったが、実施の形態２と同様の処理を行って、図８に示すような映像生成手段１２からの映像２０ａと画像生成手段１４からの映像２０ａに連動したコンテンツ画像２３を同じタイミングで合わせて出力し、表示手段１６がそれぞれの画面１６ａ，１６ｂに表示するように構成しても良い。
【０１０９】
以上のように、実施の形態５の映像表示装置１によれば、コマンド検出手段１３は映像中の模様５０´を検出すると、開始コマンド５１０を出力し、画像生成手段１４は開始コマンド５１０と予め記憶した制御コマンドに基づいてコンテンツ画像を生成するように構成されているので、映像にコマンド部としての色情報を含めることができない場合でも映像とコンテンツ画像を合わせて表示することができる。
【０１１０】
なお、コマンド検出手段１３は、映像に含まれる表示情報としての模様５０´を検出し、模様５０´が予め記憶した模様５０´と一致した場合、開始コマンド５１０として出力する構成に換えて、映像に含まれる単色の映像フレームを開始コマンド５１０として出力するように構成し、例えば黒一色の映像が現れた場合に開始コマンド５１０として出力するように構成しても良い。
【符号の説明】
【０１１１】
１  映像表示装置、１１  映像入力手段、１２  映像生成手段、１３  コマンド検出手段、１４  画像生成手段、１５  表示処理手段、１６  表示手段、１６ａ，１６ｂ  画面、１７  制御手段、２０ａ，２２ａ，４０ａ，５０  映像、２０ｂ，２１，２３，４０ｂ，４０ｃ，４１ｄ，４２ｅ，４３ｆ  コンテンツ画像、２１´  重畳表示部分、２２，４１，４２，４３    重畳映像、２３´  表示、５０´  模様、１００，２００，２００´，３００，４００  コマンド部、１０１〜１０８，２０１〜２０５，３０１〜３０５，４０１〜４０８  色情報、１１０，２１０，３１０，４１０，５１０  開始コマンド、１２０〜１２８，２２０〜２２５，２２０´〜２２５´  制御コマンド、１３０，２３０，３３０，４３０  終了コマンド、３２０  フレーム番号、３２１〜３２５  数字、４２０〜４２８  描画コマンド。
【図１】
0005409408.tif 000005
【図２】
0005409408.tif 000006
【図３】
0005409408.tif 000007
【図４】
0005409408.tif 000008
【図５】
0005409408.tif 000009
【図６】
0005409408.tif 000010
【図７】
0005409408.tif 000011
【図８】
0005409408.tif 000012
【図９】
0005409408.tif 000013
【図１０】
0005409408.tif 000014
【図１１】
0005409408.tif 000015
【図１２】
0005409408.tif 000016
【図１３】
0005409408.tif 000017